(57)【特許請求の範囲】
【請求項１】
映像を表示する表示手段と、
撮影して画像データを生成する撮影手段と、
前記撮影手段で生成された画像データが示す画像内の視聴者を検出する検出手段と、
前記表示手段が映像を表示しており、かつ、前記検出手段が視聴者を検出していないときの時間である非視聴時間を計測する計測手段と、
前記非視聴時間に消費された非視聴状態消費電力を計測する消費電力計測手段と、
前記非視聴状態消費電力と前記非視聴時間と関連付けて記録する記録手段と、
を備える表示装置。
【請求項２】
前記検出手段は、前記撮影手段によって生成された画像データが示す画像より顔を検出する顔検出手段である、
請求項１に記載の表示装置。
【請求項３】
前記検出された視聴者の属性を抽出する抽出手段をさらに備え、
前記計測手段は、前記抽出された属性で特定される視聴者毎に前記非視聴時間を計測する、
請求項１に記載の表示装置。
【請求項４】
前記抽出手段として個人を識別して特定できる個人識別手段をさらに備え、
前記計測手段は、前記個人識別手段で特定される視聴者毎に前記非視聴時間を計測する、請求項３に記載の表示装置。
【請求項５】
非視聴時間を表示する非視聴時間表示手段をさらに備えた、
請求項１に記載の表示装置。
【請求項６】
前記検出手段は、前記撮影手段で生成された画像データが示す画像内から人の存在を判別し、人が存在すると判別した場合において、前記人が視聴している状態か否かを検出する、
請求項１に記載の表示装置。
【請求項７】
非視聴状態消費電力を金額に変換する金額変換手段をさらに備えた、
請求項１記載の表示装置。
【請求項８】
前記表示手段に表示される映像に関する情報を取得する映像情報取得手段をさらに備え、前記非視聴時間に対応する映像に関する情報を関連付けて前記記録手段に記録する、請求項１記載の表示装置。
【発明の詳細な説明】
【技術分野】
【０００１】
本発明は、省電力の観点において表示装置が表示している映像の視聴状況を提示できる表示装置に関する。
【背景技術】
【０００２】
近年、環境問題に対する意識の高まりより、各種の電気機器の省電力化が図られている。省電力化の例としては、電気機器の各部品の消費電力を低減させるのはもちろんのこと、ユーザからの指令が一定時間行われない場合に省電力状態、あるいはスタンバイ状態と呼ばれる、消費電力を抑えた動作モードに移行する機能を設けている電気機器も多い。
【０００３】
こうした中、省電力制御を効率的に行うために、特許文献１のような放送信号受信システム（テレビ）が開示されている。
図１３は、特許文献１における放送信号受信システムの全体構成を示すブロック図である。図１３において、テレビ放送を受信するチューナ部１１は、入力端子１１ａよりテレビ放送波を受信する。チューナ部１１の出力側部分は、デジタルの映像信号をアナログの映像信号に変換する映像デコーダ１２と、デジタルの音声信号をアナログの音声信号に変換する音声デコーダ１３とに接続されている。ＯＳＤ（Ｏｎ−Ｓｃｒｅｅｎ  Ｄｉｓｐｌａｙ）回路１４は、映像デコーダ１２から出力されるアナログの映像信号に、チャネル番号などの各種の表示信号を重畳する回路である。ＯＳＤ回路１４から出力されるアナログの映像信号は、映像入力端子１５ａを通して、テレビモニタ１５に入力されて表示される。また、音声デコーダ１３から出力されるアナログの音声信号は、音声入力端子１５ｂを通してテレビモニタ１５に入力される。
【０００４】
制御部１８は、図示されていないＣＰＵ、ＲＯＭ、ＲＡＭ等により構成されており、チューナ部１１、映像デコーダ１２、音声デコーダ１３、ＯＳＤ回路１４をそれぞれ制御する。
【０００５】
キー入力部２１は、特許文献１における放送信号受信システムの装置に備えられた各種ボタン類操作による操作情報と、受信部２２で受信したリモコン２３からのキー操作信号とを、制御部１８に出力して通知する。カメラ部２５は、特許文献１における放送信号受信システムの装置に備えられたカメラであり、視聴者を撮影できるよう設置されている。カメラ部２５で撮影された画像の信号は、個人認証部２６に入力される。個人認証部２６では、撮影画像から顔画像が検出され、検出された顔画像を元に、誰が視聴者となっているかを判定する個人認証および目の開閉状態の判別処理が行われる。認証結果や目の開閉状態を表す信号は制御部１８に入力されて通知される。
【０００６】
時計部２８は、現在時刻を制御部１８に通知する。タイマー回路部２９は、制御部１８の指令によって動作し、所定の時間の計測を行う。
録画再生装置４０は、ハードディスクドライブやＤＶＤ等の記録媒体に放送信号を記録し、また記録媒体に記録された放送信号を再生する。そして、この録画再生装置４０に対して制御部１８により録画、または再生の制御が行われる。
【０００７】
以上のように構成された放送信号受信システムにおいて、リモコン２３の操作によって放送信号受信システムであるテレビの電源がオンされると、制御部１８の制御により、チューナ部１１が受信した放送信号が映像デコーダ１２、音声デコーダ１３、ＯＳＤ回路１４を通過し、リモコン２３で指定されたテレビ番組がテレビモニタ１５に表示される。また、制御部１８は、録画再生装置４０を制御し、後述するように視聴者がテレビモニタ１５の前から離れた間の映像を後で再生できるよう、タイムシフト機能による録画を開始するとともに、カメラ部２５に対して撮影開始を指示する。カメラ部２５で撮影された撮影画像は個人認証部２６にて画像認識処理が行われ、顔の有無と、顔が誰であるかを識別する個人認証処理とが行われるとともに目の開閉状態が取得される。個人認証部２６で得られた顔の検出結果、認証結果、および目の開閉状態は制御部１８に通知される。
【０００８】
制御部１８は、個人認証部２６から通知される情報を監視しており、もしカメラ部２５で撮影された画像の中に顔画像が含まれていない場合、時計部２８から時刻を取得するとともに、タイマー回路部２９を用いて経過時間の計測を開始する。顔画像が検出されない状態が一定時間続いた場合、制御部１８は、視聴者がテレビの前にいない、すなわち誰もテレビを見ていない状態であると判断し、テレビモニタ１５の表示をオフして消費電力を低減させる省電力モードに切り替える。その後、再び顔画像が検出された場合は、テレビモニタ１５の表示をオンし、通常の動作モードに切り替える。もし検出された顔画像が、前に検出されていた顔画像と同一人物であるなら、顔画像が検出されなくなった時刻から録画再生装置４０を用いて番組の再生を行う。
【０００９】
一定時間が経過するまでの間に再び顔画像が検出された場合、制御部１８は、タイマー回路部２９で行われている経過時間の計測処理を停止させる。
以上のように、特許文献１記載の放送信号受信システムは、カメラ部２５を用いてテレビモニタ１５の前に視聴者がいるかどうかを判定し、視聴者がいないと判定した場合、一定時間経過後に省電力モードに入り、無駄な電力消費を抑えるよう構成されている。
【先行技術文献】
【特許文献】
【００１０】
【特許文献１】特許第３８６２０２７号公報
【発明の概要】
【発明が解決しようとする課題】
【００１１】
しかしながら、このような従来の放送信号受信システムの場合、テレビモニタ１５が省電力状態に入ってもなお、制御部１８や録画再生装置４０などの稼動のため電力は消費されている。電力消費を必要最小限にするためには小まめにユーザ自身が放送信号受信システム（テレビ）の電源をオフにすることが好ましい。したがって、小まめに電源のオンオフを行うようなユーザの行動改善を促すことが考えられる。しかし、そのような提案はこれまで存在しなかった。
【００１２】
また、上記の特許文献１記載の放送信号受信システムは、家庭などに置かれているテレビなどの放送信号受信システムを想定している。このような設置環境と異なる設置環境にものとして、近年、駅前などの公共の場や人が多く集まる場所などで、大型スクリーンなどの大画面を有する表示装置が設けられ、広告用映像などが表示される場合がある。しかしながら、このような表示装置により、人が前記表示装置を視聴しており（見ており）、前記表示装置が効率的に見られて、広告できているかどうかを確認することはできなかった。
【００１３】
本発明は、上記課題を解決するもので、効率的に利用されている（視聴されている）かどうかを確認することができる表示装置を提供することを目的とする。
【課題を解決するための手段】
【００１４】
前記課題を解決するために、本発明の表示装置または表示方法は、表示装置を視聴しているユーザを監視し、表示装置または表示システムが動作しているにもかかわらず、視聴されていない時間を記録する。
【発明の効果】
【００１５】
本発明によれば、表示装置が効率的に利用されているかどうかを記録することができる。これにより、効率的に利用されている（視聴されている）かどうかを確認することができる表示装置を提供することができる。
【図面の簡単な説明】
【００１６】
【図１】本発明の実施の形態１に係るデジタルテレビの構成を示すブロック図
【図２】同実施の形態１に係るデジタルテレビの視聴情報管理部にて管理される視聴情報を示す図
【図３】同実施の形態１に係るデジタルテレビの視聴情報管理部にて管理される視聴情報の作成処理を示すフローチャート
【図４】本発明の実施の形態１に係るデジタルテレビの映像信号表示部での表示の一例（視聴情報の月別表示）を示す図
【図５】本発明の実施の形態１に係るデジタルテレビの映像信号表示部での表示の別の一例（視聴情報の週別表示）を示す図
【図６】本発明の実施の形態１に係るデジタルテレビの映像信号表示部での表示の別の一例（特定の視聴者に関する視聴情報の週別表示）を示す図
【図７】本発明の実施の形態１に係るデジタルテレビの映像信号表示部での表示の別の一例（特定の視聴者に関する視聴情報の曜日別表示）を示す図
【図８】本発明の実施の形態１に係るデジタルテレビの映像信号表示部での表示の別の一例（特定の視聴者に関する視聴情報のタイムライン表示）を示す図
【図９】本発明の実施の形態２に係る大型表示装置の構成を示すブロック図
【図１０】同実施の形態２に係る大型表示装置を視聴している視聴者の属性、広告種別、時間帯の例を示す図
【図１１】同実施の形態２に係る大型表示装置の視聴情報管理部にて管理される視聴情報を示す図
【図１２】同実施の形態２に係る大型表示装置の視聴情報管理部にて管理される視聴情報の作成処理を示すフローチャート
【図１３】従来のカメラを備えた放送信号受信システムの構成を示すブロック図
【発明を実施するための形態】
【００１７】
以下に、本発明の実施の形態について、図面を参照しながら説明する。
（実施の形態１）
図１は、本発明の実施の形態１に係る表示装置の一例であるデジタルテレビのブロック図である。
【００１８】
図１に示すように、表示装置の一例であるデジタルテレビは、映像を表示する表示手段としての映像信号表示部１１０と、映像信号表示部１１０に対向する領域、すなわち、視聴者が映像を見ると想定される映像信号表示部１１０の前方の領域を撮影して、画像データを生成する撮影手段としてのカメラ部１６０と、前記カメラ部１６０で生成された画像データが示す画像内の視聴者を検出する検出手段としての画像認識部１７０と、映像信号表示部１１０が映像を表示しており、かつ、前記検出手段が視聴者を検出していないときの時間である非視聴時間を計測する計測手段としても機能する制御部１３８と、前記計測された非視聴時間を記録する不揮発性メモリなどの記録手段を有する視聴情報管理部１８０などを備えている。また、デジタルテレビは、映像信号表示部１１０に表示される映像に関する情報を取得する映像情報取得手段としてのＥＰＧデータ蓄積部１３５と、前記非視聴時間に消費された非視聴状態消費電力を計測する消費電力計測手段としての消費電力計測部１７５なども備えている。さらに、デジタルテレビは、アンテナ１０１、信号分離部１０５、音声信号処理部１２０、音声信号出力部１３０、映像信号処理部１０６、ＯＳＤ部（Ｏｎ−Ｓｃｒｅｅｎ  Ｄｉｓｐｌａｙ）１０７、リモコン１８５、受信部１０９なども備えている。
【００１９】
画像認識部１７０は、撮影手段であるカメラ部１６０によって生成された画像データが示す画像より顔画像を検出する顔検出手段としても機能する他、個人を識別して特定できる（視聴者が誰であるかを判別する）個人識別手段や、視聴者が、映像信号表示部１１０に表示されている映像を見ているかどうかを判定する判定手段としても機能する。また、制御部１３８は、時計部１４０からの時刻を随時入力しながら非視聴時間などを計測するほか、視聴者の属性（個人情報を含む）を抽出する抽出手段や、非視聴状態消費電力を金額に変換する金額変換手段などとしても機能する。
【００２０】
以下、図１を参照しながら、デジタルテレビの各構成要素を詳しく説明する。
図１において、アンテナ１０１は放送波を受信するアンテナである。チューナ部１０２は、アンテナ１０１で受信した放送波から希望のチャネルを選択した後、デジタル放送信号に復調するチューナ部である。信号分離部１０５は、チューナ部１０２で選択したチャネルから放送多重化信号を抽出して映像信号と音声信号、および番組情報であるＥＰＧ（Ｅｌｅｃｔｒｉｃ  Ｐｒｏｇｒａｍ  Ｇｕｉｄｅ）データとを分離する信号分離部である。映像信号処理部１０６は、信号分離部１０５で分離された映像信号の信号列をデコードして伸張されたデジタル映像信号を再生する。ＯＳＤ部１０７は、チャネル番号等の各種表示信号を映像信号処理部１０６の出力に重畳する。映像信号表示部１１０は、典型的にはプラズマディスプレイパネルや液晶ディスプレイパネルなどの表示パネルと、この表示パネルを制御するコントローラ装置などとから構成され、ＯＳＤ部１０７から出力されるデジタル映像信号をアナログの映像信号に変換して、表示パネルに表示する。
【００２１】
一方、音声信号処理部１２０は、信号分離部１０５で分離された音声信号の信号列をデコードしてデジタル音声信号を出力する音声信号処理部であり、音声信号出力部１３０は、音声信号処理部１２０から入力されたデジタル音声信号をアナログの音声信号に変換し出力するスピーカーである。また、信号分離部１０５で抽出されたＥＰＧ（Ｅｌｅｃｔｒｉｃ  Ｐｒｏｇｒａｍ  Ｇｕｉｄｅ）データは、ＥＰＧデータ蓄積部１３５に蓄積され、適宜、制御部１３８から参照される。時計部１４０は、現在時刻を制御部１３８に通知する。カメラ部１６０は、映像信号表示部１１０の前方の領域を撮影できるよう設置されており、デジタルテレビの視聴者を撮影できる。カメラ部１６０で撮影された画像は、画像認識部１７０に入力される。画像認識部１７０では、撮影画像から顔画像を検出し、検出された顔画像が誰であるかを判定する個人識別処理を行う。顔検出結果や個人識別結果は制御部１３８に通知される。制御部１３８には、図示していないＣＰＵや、ＲＯＭ、ＲＡＭなどからなるメモリなどが備えられている。
【００２２】
顔の検出手法については、Ｐ．ＶｉｏｌａおよびＭ．Ｊｏｎｅｓによって発表されたブースティングによる顔画像の訓練学習手法をはじめとして、各種手法が既知となっている。個人識別処理についても同様に既知の処理であり、あらかじめカメラ部１６０を用いて撮影された視聴者の顔画像から目の間隔やの鼻の位置などの特徴量を登録しておき、現在撮影された画像から検出された顔画像の特徴量と比較し、同一の人物であるかどうかを判定する。
【００２３】
消費電力計測部１７５は、デジタルテレビに電力を供給する、図示していない電源部と接続されており、図１に示すデジタルテレビの消費電力をリアルタイムに計測する。
視聴情報管理部１８０は、画像認識部１７０による画像認識結果とＥＰＧデータ蓄積部１３５の映像に関する情報であるＥＰＧデータ情報、および消費電力計測部１７５で計測されたデジタルテレビの非視聴状態消費電力情報とを非視聴時間と関連付けて統合して蓄積する。視聴情報管理部１８０は不揮発性メモリを備えているため、本実施の形態におけるデジタルテレビの電源をオフし通電を遮断しても、蓄積した情報は消失しない。
【００２４】
リモコン１８５は、本実施の形態におけるデジタルテレビを操作するための各種ボタンを備えている。リモコン１８５の入力は、赤外線等を用いて受信部１９０に通知される。受信部１９０では受信した信号をデジタルテレビの操作コマンドに変換し、制御部１３８に通知する。
【００２５】
以上のように構成されたデジタルテレビにおいて、以下その動作について説明を行う。
まず、リモコン１８５によってデジタルテレビの電源がオンされると、アンテナ部１０１により受信した放送波がチューナ部１０２を通して信号処理部１０５に入力され、ＥＰＧデータと、リモコン１８５から入力されたチャネル番号に対応する番組の映像信号と音声信号とが、放送多重化信号から分離される。映像信号は、映像信号処理部１０６を通してデコードされ、ＯＳＤ表示部１０７にてＯＳＤ表示が重畳された後、映像信号表示部１１０に表示される。一方、信号分離部１０５で放送多重化信号から分離された音声信号は、音声信号処理部１２０にてデコードされ、音声信号出力部１３０にて音声出力される。ＥＰＧデータは、信号分離部１０５からＥＰＧデータ蓄積部１３５に蓄積される。これら一連の動作は、一般的なデジタルテレビの動作と同様であるが、本実施の形態においては更に、カメラ部１６０によってデジタルテレビ前面の撮影を行い、視聴者が確かにデジタルテレビに表示されている番組を視聴しているかどうかが判定され、その判定結果が消費電力計測部１７５の非視聴状態消費電力情報とともに、非視聴時間と関連付けて視聴情報管理部１８０に蓄積される。
【００２６】
視聴情報管理部１８０にて管理される視聴情報を図２に示す。本実施の形態において視聴情報は、図２に示すようにテーブル形式となっており、１つのレコードは、放送日、放送曜日、放送時間帯、番組名、ジャンル、非視聴時間、削減可能消費電力から構成される。放送日、放送曜日、放送時間帯、番組名、ジャンルはＥＰＧデータ蓄積部１３５より取得される情報である。非視聴時間は、カメラ部１６０の画像を画像認識部１７０にて顔検出処理を行い、顔（顔の画像）が検出されなかった時間、すなわち、デジタルテレビが番組を表示しているにもかかわらず、その内容を視聴者が視聴していない時間を示す。削減可能消費電力は、非視聴時間におけるデジタルテレビの消費電力である。視聴者とは、非視聴時間に入る直前までデジタルテレビを視聴していた人物であり、画像認識部１７０の個人識別処理によって取得される。
【００２７】
図３のフローチャートは、デジタルテレビの電源がオンになった場合、リモコン１８５によってチャネルが切り替えられた場合、または現在視聴中の番組が終了し、新しい番組の放送が始まった場合に実施される処理を示している。まずステップＳ３００にて、制御部１３８はＥＰＧデータ蓄積部１３５から、現在選択されているチャネルの番組情報を取得する。続くステップＳ３０２では、カメラ部１６０にてデジタルテレビの前方空間の状況が撮影される。続くステップＳ３０５では、画像認識部１７０にて、カメラ部１６０で撮影された画像に対して顔検出処理が行われる。顔検出処理Ｓ３０５の後に実施されるステップＳ３０７での個人識別処理では、顔検出処理のステップＳ３０５で検出された顔画像の特徴量を、あらかじめ記憶されている視聴者の顔の特徴量と比較し、誰がデジタルテレビを視聴しているかを判定する。続くステップＳ３１０にて、顔が存在するかどうか、すなわち顔検出処理が成功したかどうかが判定される。顔検出処理が失敗していた場合、すなわち検出された顔の個数が０であった場合、ステップＳ３１３に進み、個人識別処理ステップＳ３０７で最後に識別されていた視聴者の名前を、制御部１３８内に備えられた、図示されていないメモリ上に保持する。続くステップＳ３１５にて制御部１３８は時計部１４０から現在時刻を取得し、続くステップＳ３１７にて消費電力計測部１７５に対して、消費電力の計測を開始するよう指示する。消費電力計測部１７５は、制御部１３８の指示によりデジタルテレビの消費電力の計測を開始する。ステップＳ３１７での消費電力計測開始処理完了後、処理はステップＳ３２０へと続く。
【００２８】
一方、ステップＳ３１０において画像認識部１７０にて、カメラ部１６０で撮影された画像に対して顔検出処理が行われた結果、顔が検出された場合、ステップＳ３１０からステップＳ３２４へと処理が進む。ステップＳ３２４では消費電力計測終了処理が行われる。
【００２９】
消費電力計測終了処理のステップＳ３２４は複数のステップから構成される。具体的には、まずステップＳ３２５にて消費電力計測中であるかどうかが判定される。消費電力計測中でなければ処理は終了し、消費電力計測中であればステップＳ３３５へと進む。ステップＳ３３５では制御部１３８は時計部１４０から現在時刻を取得する。続くステップＳ３４０では、制御部１３８は消費電力計測部１７５に対して、消費電力の計測を終了するよう指示する。消費電力計測部１７５は、制御部１３８の指示によりデジタルテレビの消費電力の計測を終了し、消費電力計測結果を制御部１３８に通知する。その後、ステップＳ３４５にて視聴情報管理部１８０の視聴情報の更新を行う。具体的には、ステップＳ３００で取得したＥＰＧデータである放送日、放送曜日、放送時間帯、番組名、ジャンル、およびステップＳ３１５とステップＳ３３５とで取得した２つの時刻情報の差である非視聴時間、更にはステップＳ３４０で得られる消費電力量を元に、制御部１３８にて新しいレコードを作成し、視聴情報管理部１８０に通知する。視聴情報管理部１８０では、放送日、放送曜日、放送時間帯、番組名、ジャンル、が合致するレコードを検索し、もし合致するレコードが存在した場合、検索の結果得られたレコードの非視聴時間に制御部１３８から通知されたレコードの非視聴時間を加算するとともに、検索の結果得られたレコードの削減可能消費電力に、制御部１３８から通知されたレコードの削減可能消費電力を加算する。もし合致するレコードが存在しなかった場合、制御部１３８から通知されたレコードを視聴情報管理部１８０の視聴情報に新規追加する。
【００３０】
ステップＳ３２０では、現在の番組の表示を終了すべきかどうかが判定される。具体的には、デジタルテレビの電源がオフされた場合、または別のチャネルを表示するようリモコン１８５によって指示された場合、あるいは現在の番組の放送が終了し、次の時間帯の番組が始まる場合にはＹＥＳで示されたステップＳ３５０へ進み、そうでない場合はステップＳ３０２に戻り、再びカメラ部１６０での画像撮影が行われる。
【００３１】
ステップＳ３５０における消費電力計測終了処理は、ステップＳ３２４と同一なので説明を省略する。
以上で図３に示したフローチャートに基づく、視聴情報の蓄積処理について説明した。
【００３２】
図３のフローチャートに示した処理を行うことにより、視聴情報管理部１８０に、デジタルテレビにて表示した番組に関する、図２に示した視聴情報レコードが作成される。
図４は、視聴情報管理部１８０に蓄積された視聴情報に基づく映像信号表示部１１０での表示の一例であり、ある月の、視聴者ごとの非視聴時間をグラフで示したものである。図４において、期間表示部４１０は、グラフ表示の対象となっている年と月とを表示している。表示対象とする月は、矢印４２０ａおよび矢印４２０ｂをリモコン１８５によって選択することにより変更することができる。集計表示部４３０は、期間表示部４１０が表示している月の非視聴時間の総計を表示している。グラフ表示領域４４０には、期間表示部４１０が表示している月に関して、各視聴者のデジタルテレビの非視聴時間が描画されている。グラフ表示領域４４０に描画されているグラフは積み上げグラフとなっており、ＥＰＧデータに含まれる番組のジャンルごとにおける非視聴時間が集計されている。積み上げグラフの表示と、番組のジャンルとの対応はジャンル表示部４４５に表示されている。また、リモコン１８５によってカーソル４４７を用いながら、グラフ表示領域４４０に表示されている視聴者の名前を選択可能である。リモコン１８５によって、ある視聴者を選択すると、後述するように、視聴者ごとの非視聴時間または削減可能消費電力を映像信号表示部１１０に表示することができる。
【００３３】
月別表示ボタン４５０は、表示期間を１ヶ月単位に切り替えるためのボタンであり、図４においては、現在、月別表示ボタン４５０が押下された状態となっている。週別表示ボタン４５２は、表示期間を１週間に切り替えるためのボタンであり、日別表示ボタン４５５は、表示期間を１日に切り替えるためのボタンである。単位切り替えボタン４７０は、グラフ表示領域４４０の表示単位を、時間、または消費電力にトグル切り替えするためのボタンである。図４においては、集計表示部４３０およびグラフ表示領域４４０の単位は時間となっているため、単位切り替えボタン４７０には「電力表示に切替」と表示されている。集計表示部４３０およびグラフ表示領域４４０の表示単位が電力であった場合、単位切り替えボタン４７０には「時間表示に切替」と表示される。
【００３４】
図４における情報表示に必要な数値は、視聴情報管理部１８０に格納された視聴情報から制御部１３８が算出する。具体的には、集計表示部４３０は、期間表示部４１０に表示されている期間に合致するレコード群を視聴情報管理部１８０から抽出し、抽出したレコード群の非視聴時間を合計することで算出することができる。また、グラフ表示領域４４０の表示に必要な数値は、前述した抽出レコード群を視聴者および番組のジャンルでグループ化し、グループごとに非視聴時間を合計することで求めることができる。
【００３５】
なお、視聴情報管理部１８０に格納された視聴情報から、集計表示４３０として表示する値や、グラフ表示領域４４０に表示する値を作成する処理は、制御部１３８が行う。また、制御部１３８は、ＯＳＤ部１０７に対して各種の画面描画命令を発行し、図４に示す表示を映像信号表示部１１０に表示するようＯＳＤ部１０７を制御する。
【００３６】
図４において、単位切り替えボタン４７０がリモコン１８５によって選択されて押下された場合、集計表示部４３０およびグラフ表示領域４４０には削減可能消費電力が表示されるようになる。具体的には、集計表示部４３０は、期間表示部４１０に表示されている期間に合致するレコード群を抽出し、抽出したレコード群の削減可能消費電力を合計することで最終的な削減可能消費電力の値を算出する。グラフ表示領域４４０は、前述した抽出レコード群を、視聴者および番組のジャンルでグループ化し、グループごとに削減可能消費電力を合計することでグラフ表示に必要なデータを求める。
【００３７】
図４において、週別表示ボタン４５２をリモコン１８５によって選択して押下した場合の表示例を図５に示す。図５は、特定の週の非視聴時間を視聴者ごとに集計し、映像信号表示部１１０に表示した例である。なお、図５において図４と同様の構成要素については同一の番号を付与し、説明を省略する。
【００３８】
図５において、図４で月が表示されていた期間表示部４１０には、現在選択されている週を表示している。集計表示部４３０には、期間表示部４１０が表示している週における、全視聴者の削減可能消費電力の総計が表示されている。グラフ表示領域４４０には、期間表示部４１０が表示している週における、視聴者ごとの削減可能消費電力がグラフ表示されている。図５における集計表示部４３０の値、およびグラフ表示領域４４０における非視聴時間は、図４に示した画面表示内容の作成時と同様に、制御部１３８が、視聴情報管理部１８０に格納された視聴情報を、指定期間で集計することで算出される。
【００３９】
なお、図示はしないが、図４または図５において、日別表示ボタン４５５をリモコン１８５によって選択して押下した場合、期間表示部４１０に特定の日が表示され、期間表示部４１０に表示されている日付における、全視聴者の非視聴時間または削減可能消費電力が集計表示部４３０に表示され、期間表示部４１０に表示されている日付における、視聴者ごとの非視聴時間または削減可能消費電力がグラフ表示領域４４０に表示される。
【００４０】
図６は、図４において、リモコン１８５によってカーソル４４７を用いて視聴者を選択して押下した場合における、視聴情報管理部１８０に蓄積された視聴情報に基づく映像信号表示部１１０での表示の一例である。なお、図６において図４と同様の構成要素については同一の番号を付与し、説明を省略する。
【００４１】
図６において、視聴者表示領域６１０には、図４におけるカーソル４４７にて選択した視聴者名（図６においてはＡさん）が表示される。視聴者表示領域６１０に表示されている視聴者に関して、期間表示部４１０における月の週ごとの非視聴時間がグラフ表示領域４４０に表示される。なお、戻るボタン６２０をリモコン１８５によって選択・押下した場合、図４に示した画面表示に戻る。
【００４２】
図６における情報表示に必要な数値は、視聴情報管理部１８０に格納された視聴情報から制御部１３８が算出する。具体的には、集計表示部４３０は、期間表示部４１０に表示されている期間および視聴者表示領域６１０に表示されている視聴者に合致するレコード群を視聴情報管理部１８０から抽出し、抽出したレコード群の非視聴時間を合計することで算出する。また、グラフ表示領域４４０の表示に必要な数値は、前述した抽出レコード群を週ごと、および番組のジャンルでグループ化し、グループごとに非視聴時間を合計することで求める。
【００４３】
図６において、カーソル４４７は、グラフ表示領域４４０に表示されている週を選択できるようになっている。リモコン１８５によってカーソル４４７の指す週を選択して押下した場合における表示例を図７に示す。なお、図７において図４と同様の構成要素については同一の番号を付与し、説明を省略する。
【００４４】
図７では、視聴者表示領域６１０に表示されている視聴者に関して、期間表示部４１０に表示されている週の非視聴時間の総計を集計表示部４３０に表示し、期間表示４１０に表示されている週の曜日ごとの非視聴時間をグラフ表示領域４４０に表示している。グラフ表示領域４４０の表示は、図４〜図６と同様に、番組ジャンルごとの積み上げグラフとなっている。図７における表示例では、図７における表示形式を切り替えるタイムライン切り替えボタン７１０を備えている。タイムライン切り替えボタン７１０をリモコン１８５によって選択して押下すると、図８に示す画面表示が、映像信号表示部１１０に表示される。
【００４５】
図８は、視聴者表示領域６１０に表示されている視聴者に関して、期間表示部４１０に表示されている週における、非視聴時間の総計を集計表示部４３０に表示し、期間表示部４１０に表示されている週の曜日ごとの非視聴時間をタイムラインで表示した画面表示である。図８において、図４および図６と同様の構成要素については同一の番号を付与し、説明を省略する。
【００４６】
図８では、タイムライン切り替えボタン７１０が押下済みである。再度タイムライン切り替えボタン７１０を押下することで、図７に示す表示に切り替えることができる。カーソル８１０は、グラフ表示領域４４０内に表示されている非視聴時間の領域をリモコン１８５によって選択可能なカーソルであり、カーソル８１０によって選択された非視聴時間領域に関する情報は詳細情報部８２０に表示される。詳細情報部８２０には、番組名と、その時間の長さとが表示される。図８における情報表示に必要な数値についても、図４〜図７における表示例と同様に、視聴情報管理部１８０に格納された視聴情報から制御部１３８が算出する。
【００４７】
なお、本実施の形態における変形例として、例えば、制御部１３８内に備えられた、図示されていないＲＯＭ（Ｒｅａｄ  Ｏｎｌｙ  Ｍｅｍｏｒｙ）の中に、消費電力と金額との換算レートを保持しておき、削減可能消費電力表示を金額に換算して表示してもよい。また、図５から図８にかけて示した画面表示はいずれも、非視聴期間に関する時間また電力のみを表示していたが、デジタルテレビを視聴していた全体の時間、またはデジタルテレビを視聴していた全体の時間に消費された電力も表示するようにし、全体のデジタルテレビ視聴時間に対する非視聴時間の割合、全体のデジタルテレビの消費電力に対する、削減可能消費電力の割合を把握できるようにしてもよい。
【００４８】
以上のようなデジタルテレビ（表示装置）および表示方法を用いることで、ユーザが表示装置の表示内容を視聴しているかどうかを監視し、ユーザが表示装置の表示内容を視聴していないにも関わらず表示装置が表示処理を行っている時間、またはその時間に消費された電力を提示することができる。すなわち、非視聴時間の割合や、非視聴時間が多いジャンルや人、削減可能消費電力の割合などの、デジタルテレビが効率的に利用されているかどうかの状態をユーザに提示できるため、小まめに表示装置の電源のオンオフを行うよう、ユーザの行動改善を促して、ユーザの節電意識を高めることができる。そして、これにより、必要な場合だけデジタルテレビ表示装置をオンして、表示装置を効率的に使用することができ、無駄なエネルギーの削減をより一層進めることができる。
【００４９】
以上、本発明に好適な実施の形態について説明を行った。なお、本発明は上記実施の形態に限ることなく、その他、この発明の要旨を逸脱しない範囲で種々の変形を実施し得ることは言うまでもない。特に、映像信号表示部１１０に表示したグラフの表示形式や、ボタンの配置や種別などのユーザインタフェース、視聴情報管理部１８０に蓄積される視聴情報などは様々な変形が考えられる。更には、ＥＰＧデータを表示する番組表に、非視聴時間または削減可能消費電力を重畳表示し、ながら見の多い番組がどれか把握しやすくするなど、グラフ以外の情報表示方法を用いてもなんら問題はない。
【００５０】
また、顔検出方法、個人識別方法については公知の方法が種々存在するが、本発明はこれらの技術の種別には依存していない。
なお、以上の実施の形態においてはカメラ部１６０による撮影により、視聴者がデジタルテレビを視聴しているかどうかを判断したが、高画素のカメラを用いて目の開閉状態を取得することで、顔が検出されていても、目が閉じられた状態であれば、居眠りをしているためデジタルテレビを観ていない（視聴者ではない）と判定し、当該時間を非視聴時間として扱うように構成してもよい。更には、顔検出に加えて瞳の位置を検出し、視聴者の視線を取得することで、視聴者がデジタルテレビを視聴しているかどうかを判定するように構成してもよい。
【００５１】
以上の実施の形態においてはカメラ部１６０として１台のカメラを想定したが、顔の検出精度を高めるために複数台のカメラを用いてもよい。また、カメラ自体も、可視光を撮影できるものに限らず、低照度の状況で顔の検出精度を高めるために、赤外線を撮影できるカメラでもよい。
【００５２】
また、上記実施の形態では、顔画像が存在すると視聴者であるとみなして判別した場合を述べたが、これに限るものでない。つまり、撮影画像（赤外線を撮影できるカメラでの撮影画像の場合を含む）や別途に設けた赤外線センサなどより、まず人の存在を判別し、人の存在の有無を情報として得た状態で、人が存在すると判別した場合において、前記人が視聴している状態か否かを、顔検出、目の開閉状態の取得、視線の取得などにより検出する。そして、顔を検出した場合、または目が開状態である場合、または視線を取得した場合に視聴者であると判定してもよい。
【００５３】
なお、以上の実施の形態においては現在放送中の番組についてのみ視聴情報を作成するようにしたが、デジタルテレビに接続されているレコーダーや、デジタルテレビ本体に内蔵されたＨＤＤ（Ｈａｒｄ  Ｄｉｓｋ  Ｄｒｉｖｅ）に録画された番組に対しても視聴情報を作成するよう構成してもよい。レコーダーやデジタルテレビ本体に対して録画予約を行う際、予約対象の番組のＥＰＧ情報が保存されるため、以上説明した実施の形態と同様に、録画番組の視聴においても、視聴情報を作成することが可能である。
【００５４】
また、以上の実施の形態においては、複数人の家庭などに置かれた１台のデジタルテレビについてのみ視聴情報を作成するようにしたがこれに限らず、複数の表示装置をＬＡＮなどで接続し、情報の送受信ができるよう構成し、それぞれの表示装置において視聴情報の収集を行い、視聴情報の表示は各表示装置における視聴情報を統合的に表示するよう構成してもなんら問題はない。
【００５５】
また、以上の実施の形態においてはカメラ部１６０による撮影にて、顔が検出されなかった場合に電力計測を開始するなどしていたが、顔が検出されなかった期間が一定時間経過した後に、電力計測を開始するよう構成してもなんら問題はない。顔が検出されなかった期間が一定時間経過した後、省電力モードに入る機能をデジタルテレビが備えていた場合、省電力モードに入るタイミングで電力計測を開始するよう構成してもよい。
【００５６】
また、以上の実施の形態においては表示装置としてデジタルテレビを想定したが対象はこれに限らず、ＰＣのモニタなど、種々の表示デバイスに対して本発明が適用可能であることは言うまでもない。
【００５７】
（実施の形態２）
上記実施の形態では、表示装置が、複数人の家庭などに置かれたデジタルテレビの場合について述べたが、これに限るものではない。この実施の形態２では、上記実施の形態１の場合の設置環境と異なる設置環境に配設された例として、表示装置が、駅前などの公共の場や人が多く集まる場所に設置された、大型スクリーンなどの大画面を有する表示装置（大型表示装置とも称する）である場合を説明する。そして、この大型表示装置により、広告用映像などを音声とともに順次表示（出力）している。
【００５８】
図９は、本発明の実施の形態２に係る表示装置の一例である大型表示装置のブロック図である。なお、本発明の実施の形態１に係るデジタルテレビの構成要素と同様な機能を有するものには同符号を付す。
【００５９】
図９に示すように、表示装置の一例である大型表示装置は、映像を表示する表示手段としての映像信号表示部１１０と、映像信号表示部１１０に対向する領域、すなわち、視聴者が映像を見ると想定される映像信号表示部１１０の前方の領域を撮影して、画像データを生成する撮影手段としてのカメラ部１６０と、前記カメラ部１６０で生成された画像データが示す画像内の視聴者を検出する検出手段としての画像認識部１７０と、映像信号表示部１１０が映像を表示しており、かつ、前記検出手段が視聴者を検出していないときの時間である非視聴時間を計測する計測手段としても機能する制御部１３８と、前記計測された時間を記録する不揮発性メモリなどの記録手段を有する視聴情報管理部１８０などを備えている。また、大型表示装置は、インターネット２１０などの外部ネットワーク回線と通信する通信部２２０、音声信号処理部１２０、音声信号出力部１３０、映像信号処理部１０６、ＯＳＤ部（Ｏｎ−Ｓｃｒｅｅｎ  Ｄｉｓｐｌａｙ）１０７なども備えている。なお、カメラ部１６０は複数台のカメラで構成されていてもよい。
【００６０】
画像認識部１７０は、撮影手段によって生成された画像データが示す画像より顔画像を検出する顔検出手段としても機能する他、個人を識別して特定できる（視聴者が誰であるかを判別する）個人識別手段や、視聴者が、映像信号表示部１１０に表示されている映像を見ているかどうかを判定する判定手段としても機能する。また、制御部１３８は、視聴者の属性（性別および年代）を抽出する抽出手段としても機能するほか、時計部１４０からの時刻を随時入力しながら視聴者の属性ごとに非視聴時間などを計測する。
【００６１】
以下、図９を参照しながら、大型表示装置の各構成要素について説明する。
図９において、通信部２２０はインターネット２１０などの外部ネットワーク回線と通信して、広告用映像を入力するともに、広告用映像に対応する広告種別情報なども得る。制御部１３８は、通信部２２０から入力した信号から広告用映像に対応する映像信号や音声信号、これらの広告用映像に関する情報などを認識して分離等を行う。映像信号処理部１０６は、通信部２２０を通して制御部１３８から入力した映像信号の信号列を変換してデジタル映像信号を再生する。ＯＳＤ部１０７は、必要に応じて、広告種別情報等の各種表示信号を映像信号処理部１０６の出力に重畳する。映像信号表示部１１０は、典型的にはプロジェクタなどからなるスクリーン装置やプラズマディスプレイパネル、液晶ディスプレイパネルなどの表示部と、この表示パネルを制御するコントローラ装置などとから構成され、ＯＳＤ部１０７から出力されるデジタル映像信号をアナログの映像信号に変換して、表示パネルに表示する。
【００６２】
一方、音声信号処理部１２０は、通信部２２０を通して制御部１３８から出力された信号をデジタル音声信号に変換して出力する。音声信号出力部１３０は、音声信号処理部１２０から入力されたデジタル音声信号をアナログの音声信号に変換し出力するスピーカーである。また、入力された広告用映像に関する情報は、制御部１３８内に設けられた図示しない記憶部（記録部）内に蓄積され、参照される。時計部１４０は、現在時刻を制御部１３８に通知する。カメラ部１６０は、映像信号表示部１１０の前方の領域を撮影できるよう設置されており、映像信号表示部１１０の前方の領域に居る人を撮影する。カメラ部１６０で撮影された画像は、画像認識部１７０に入力される。画像認識部１７０では、撮影画像から顔画像を検出し、検出された顔画像から、その人（顔画像が得られた場合には視聴者であるとみなす）の属性である、性別および年代を抽出する抽出処理を行う。制御部１３８には図示していないＣＰＵや、ＲＯＭ、ＲＡＭなどからなるメモリなどが備えられている。また、制御部１３８は通信部２２０を介して得た情報を、当該大型表示装置を設置して契約する広告会社や顧客先などに通知可能とされている。
【００６３】
以上のように構成された大型表示装置の動作について説明する。
まず、インターネット２１０などの外部ネットワーク回線および通信部２２０を通して、制御部１３８において広告用映像や、広告用映像に対応する音声信号情報、これらに関連する広告種別情報などが取得され、広告用映像が映像信号表示部１１０に表示されるとともにこれに対応する音声が音声信号出力部１３０から出力される。これら一連の動作は、一般的なデジタルテレビの動作と類似した動作であるが、本実施の形態においては更に、カメラ部１６０によって大型表示装置の前方箇所の撮影を行い、視聴者の検出（顔画像の検出）および視聴者の属性（性別および年代）と、各視聴者が大型表示装置に表示されている映像を視聴しているかどうかが判定され、その判定結果が視聴情報管理部１８０に蓄積される。
【００６４】
すなわち、カメラ部１６０により撮影した画像から顔画像を検出するとともに、その顔画像から視聴者の属性を判別し、属性ごとの視聴者（例えば、「未成年の男性」）を検出できた場合は、その属性の視聴者が広告用映像を見ていると判断する。そして、その属性の人（顔画像）を検出できなくなった場合は、その属性の人は広告用映像を見ていないと判断し、非視聴時間の計測を開始する。そして、再度、同じ属性の人（例えば、「未成年の男性」）が検出されたら、視聴していると判断し、非視聴時間の計測を終了する。このようにして、ある属性の人が検出されていない時間を計測することで、非視聴時間を計測する。
【００６５】
大型表示装置を視聴している視聴者の属性、広告種別、時間帯の例を図１０に示し、これに対応して、視聴情報管理部１８０にて管理される視聴情報の例を図１１に示す。これらの図に示す例では、例えば、広告用映像が９時から再生開始し２０時で再生を終了する場合を示し、商品Ａに関する広告用映像を９時から１２時まで再生し、商品Ｂに関する広告用映像を１２時から１７時まで再生し、商品Ｃに関する広告用映像を１７時から２０時まで再生する場合を示している。図１０において、長方形状で示している部分が視聴している時間帯を示し、直線状で示している部分が視聴していない時間帯を示す。また、視聴者はその顔画像から、属性１として、年代（未成年、成人、高齢者）が判別され、属性２として性別（男女）が判別される。図１０では、未成年の男性の視聴者が、商品Ａについての広告用映像を９時から１０時まで、および１１時から１２時まで視聴している場合を示している。
【００６６】
本実施の形態において視聴情報は、図１１に示すようにテーブル形式となっており、１つのレコードは視聴者の属性１（年代）、属性２（性別）、広告種別、非視聴開始時間、非視聴終了時間から構成される。なお、図示しないが、非視聴開始時間および非視聴終了時間の情報から非視聴時間も情報として管理することが好ましい。非視聴開始時間および非視聴終了時間は、カメラ部１６０の画像を画像認識部１７０にて顔検出処理を行い、視聴者の属性１（年代）、属性２（性別）ごとに、顔（顔の画像）が検出されなかった開始時間および終了時間であり、大型表示装置が広告用映像番組を表示しているにもかかわらず、その内容を、該当する属性の視聴者が視聴していない非視聴開始時間および非視聴終了時間を示す。
【００６７】
以下、図１２のフローチャートを参照しながら当該大型表示装置の動作をより詳しく説明する。
まずステップＳ５０１にて、カメラ部１６０にて大型表示装置（映像信号表示部１１０）の前方空間の状況が撮影される。続くステップＳ５０２では、画像認識部１７０にて、カメラ部１６０で撮影された画像に対して顔検出処理が行われるとともに、顔画像が検出された場合は、検出手段としての画像認識部１７０により属性（年代および性別）の検出が行われる。続くステップＳ５０３では、画像認識部１７０により指定属性の検出ができたかどうかが判定される。上記したように、本実施の形態での指定する属性とは、図１０に示すように、「未成年の男性」「未成年の女性」「成人の男性」「成人の女性」「高齢者の男性」「高齢者の女性」の６種類である。以下、指定された属性が「未成年の男性」を例に挙げて説明するが、同様の処理が他の５種類の属性についても行われる。
【００６８】
ステップＳ５０３において、「未成年の男性」という属性（属性の画像）を検出できなかった場合（すなわち、「未成年の男性」が広告用映像を見ていない場合）、ステップＳ５０４に処理が進み、非視聴時間の開始時刻が取得済みかどうかが確認される。非視聴時間の開始時刻が取得されていない場合、ステップ５０５へ処理が進み、現在の時刻を取得し、非視聴時間の開始時刻を設定する。一方、ステップＳ５０４において、非視聴時間の開始時刻が取得されている場合は、処理がステップＳ５０１に戻る。
【００６９】
ステップＳ５０３において、「未成年の男性」という属性（属性の画像）を検出できた場合（すなわち、「未成年の男性」が広告用映像を見ている場合）、ステップＳ５０６に処理が進み、非視聴時間の開始時刻が取得済みかどうか確認される。
【００７０】
ステップＳ５０６において、非視聴時間の開始時刻が取得されている場合は、今まで視聴していなかった「未成年の男性」が広告用映像を視聴し始めたということになる。すなわち、非視聴時間が終了したことになる。その場合、処理がステップＳ５０７へ進み、現在時刻を取得することで非視聴時間の終了時刻を設定する。そして、ステップＳ５０８で視聴情報を更新することで、非視聴時間の開始時刻と終了時刻とが設定される（この状態を図１１に示す）。
【００７１】
ステップＳ５０６において、非視聴時間の開始時刻が取得されていない場合は、「未成年の男性」が視聴し続けていることになるので、処理がステップＳ５０１に戻る。そして、「未成年の男性」が検出されなくなるまで（「未成年の男性」が広告用映像を見なくなるまで）、ステップＳ５０１→ステップＳ５０２→ステップＳ５０３→ステップＳ５０６→ステップＳ５０１のループ処理を続ける。
【００７２】
このように、本実施の形態では、指定の属性の視聴者を検出できなくなった時間を非視聴時間の開始時刻として抽出し、指定属性を検出できた時刻を非視聴時間の終了時刻として抽出することで、指定の属性の人（視聴者）の非視聴時間を計測することができる。この結果、広告用映像の表示を依頼した依頼主は、各属性に係る人が広告用映像をどの程度視聴して、広告用映像が有効に視聴されているかどうかを確認できたり、広告用映像がどのような属性の視聴者に視聴されているかどうかを確認できたり、広告用映像をどのような時間に表示すると、より効率的に視聴されるかを確認できたりする。これにより、本実施の形態に係る表示装置が効率的に利用されている（視聴されている）かどうかを確認することができて、広告用映像の有効性や、視聴者の属性（この実施の形態では年代と性別）による広告用映像の有効性の差や、広告用映像の効率的な利用の向上に役立てることができる。
【００７３】
なお、上記の実施の形態では、広告用映像をインターネット２１０などの外部ネットワーク回線と通信して入力する場合を述べたが、これに限るものではなく、広告用映像を記録したディスクなどの記録媒体から入力してもよい。また、上記の実施の形態では、年代の属性として、「未成年」「成人」「高齢者」という属性を設定した場合を述べたが、これに限るものではなく、「１０代」、「２０代」、「３０代」・・・などで区切るようにしてもよい。
【００７４】
また、図１や図９で示したデジタルテレビのブロック図に示した処理ブロックはいずれも専用のハードウェアであるとは限らず、ソフトウェアで実行できるよう構成されていてもなんら問題はない。
【００７５】
また、上記実施の形態では、画像だけでなく音声も出力されるデジタルテレビを視聴している視聴者を想定した場合を述べたが、これに限るものではない。つまり、単に映像だけを表示する表示装置を見ている者にも同様に適用することができる。
【産業上の利用可能性】
【００７６】
本発明にかかる表示装置または表示方法は、ユーザが表示装置の表示内容を視聴する表示装置や表示方法として利用することができる。
【符号の説明】
【００７７】
１１０  映像信号表示部（表示手段）
１３５  ＥＰＧデータ蓄積部（映像情報取得手段）
１３８  制御部（変換手段）
１６０  カメラ部（撮影手段）
１７０  画像認識部（検出手段、個人識別手段、判定手段、顔検出手段）
１７５  消費電力計測部（消費電力計測手段）
１８０  視聴情報管理部（記録手段）
２１０  インターネット（外部ネットワーク回線）
２２０  通信部
Ｓ３０２  撮影ステップ
Ｓ３０５  検出ステップ
Ｓ３０７  個人識別ステップ
Ｓ３１０  判定ステップ
Ｓ３１７  計測ステップ
Ｓ３４５  記録ステップ
Ｓ５０１  撮影ステップ
Ｓ５０２  属性検出（抽出）ステップ
Ｓ５０３  判定ステップ
Ｓ５０８  記録ステップ
【図１】
0005528318.tif 000002
【図２】
0005528318.tif 000003
【図３】
0005528318.tif 000004
【図４】
0005528318.tif 000005
【図５】
0005528318.tif 000006
【図６】
0005528318.tif 000007
【図７】
0005528318.tif 000008
【図８】
0005528318.tif 000009
【図９】
0005528318.tif 000010
【図１０】
0005528318.tif 000011
【図１１】
0005528318.tif 000012
【図１２】
0005528318.tif 000013
【図１３】
0005528318.tif 000014